(57)【要約】【課題】結合が確実でがつ操作が容易あるとともに、外観的体裁が良好な装身具の長さ調整機能付き留め具を提供すること。【解決手段】一対の装飾板１０，１１の一方の端部内側対向面に設けた、ばね力によって付勢されるヒンジ部１４と、前記装飾板１０，１１の他方の端部に設けられ前記ヒンジ部１４のばね力により閉じられる一対の係止部２０と、前記一対の装飾板１０，１１の内側対向面に一定の間隔を隔てて設けた複数の係合突起２３と、前記ヒンジ部１４の後端に設けられ真珠等のネックレス２４の一端を接続するための接続板１７とを備えた第１留め具１０１と、該第１留め具１０１と同一構成の第２留め具１０２と有し、これら１留め具１０１と第２留め具を水平軸に対して９０度回転させて結合する。【選択図】図１
2019107433.tif 000002
【特許請求の範囲】
【請求項１】
一対の装飾板の一方の端部内側対向面に設けた、ばね力によって付勢されるヒンジ部と、前記装飾板の他方の端部に設けられ前記ヒンジ部のばね力により閉じられる一対の係止部と、前記一対の装飾板の内側対向面に一定の間隔を隔てて設けた複数の係合突起と、前記ヒンジ部の後端に設けられ真珠等のネックレスの一端を接続するための接続板とを備えた第１留め具と、該第１留め具と同一構成の第２留め具とを有し、
前記ネックレスの両端部にそれぞれ接続した前記第１留め具及び第２留め具の一対の前記装飾板の後端を指で摘まんで、その先端部を前記ヒンジ部のばね力に抗して開口させ、前記第１留め具及び第２留め具を互いに、水平軸に対して９０度回転させて嵌合させ、相対する互いの係合突起と該係合突起間に形成される凹部とを噛み合わせて前記第１留め具と第２留め具とを結合することを特徴とする装身具の長さ調整機能付き留め具。
【請求項２】
前記装飾板は、略アーチ状に形成され、及び／又は前記装飾板に網目状の穴を穿ったことを特徴とする請求項１の装身具の長さ調整機能付き留め具。
【請求項３】
前記接続板は、前記ヒンジ部から後方に引き出され、他方の留め具を嵌合せる際に、該他方の留め具の前記一対の係止部の先端で前記接続板の端部を挟持させることを特徴とする請求項１又は請求項２に記載の装身具の長さ調整機能付き留め具。
【発明の詳細な説明】
【技術分野】
【０００１】  本発明は、例えば真珠のネックレス等に使用される装身具の長さ調整機能付き留め具に関するものである。
【背景技術】
【０００２】  従来、この種の真珠のネックレスを着用する場合、例えば図１２に示すように、ネックレス１を首にいわゆるＯ型に着用した場合（Ａ）と、ネックレス１の一端を胸のあたりまで垂れ下がるように、いわゆるＹ型に着用する場合（Ｂ）がある。【０００３】  このようにＯ型及びＹ型の両方に使えるようにネックレス端部の留め具２ａ、２ｂをクリップ式として連珠３の適当な位置で係止できる構造なっている。
【先行技術文献】
【特許文献】
【０００４】
【特許文献１】特開平９−５６４２９号
【発明の概要】
【発明が解決しようとする課題】
【０００５】  上記のような真珠のネックレス等に使用される装身具の長さ調整機能付き留め具は、いわゆるＯ型に着用した場合、図１２（Ａ）に示したように、留め具２ａ，２ｂが近接して並んで配置され美的センスを競う装身具着用者には評判が悪い。【０００６】  一方、特開平９−５６４２９号公報には、ヒンジによって開閉可能真珠ネックレス等の長さ調整機能付き留め具が開示されている。この留め具の形状、種類を変えることによりＯ型及びＹ型に限らず、その他の真珠ネックレスの使い方も可能である。
しかしながら、留め具の挟持部に弾性シートを固着させなければならず、構成が複雑でコスト高となることを免れない。
【課題を解決するための手段】
【０００７】  本発明は、上記の点に鑑みてなされたもので、以下のような構成を備えている。
すなわち、請求項１に記載の本発明の装身具の長さ調整機能付き留め具は、一対の装飾板の一方の端部内側対向面に設けた、ばね力によって付勢されるヒンジ部と、前記装飾板の他方の端部に設けられ前記ヒンジ部のばね力により閉じられる一対の係止部と、前記一対の装飾板の内側対向面に一定の間隔を隔てて設けた複数の係合突起と、前記ヒンジ部の後端に設けられ真珠等のネックレスの一端を接続するための接続板とを備えた第１留め具と、該第１留め具と同一構成の第２留め具と有する。【０００８】  上記の構成において、前記ネックレスの両端部にそれぞれ接続した前記第１留め具及び第２留め具の一対の前記装飾板の後端を指で摘まんで、その先端部を前記ヒンジ部のばね力に抗して開口させ、前記第１留め具及び第２留め具を互いに、水平軸に対して９０度回転させて嵌合させ、相対する互いの係合突起と該係合突起間に形成される凹部とを噛み合わせて前記第１留め具と第２留め具とを結合することを特徴とするものである。【０００９】  請求項２に記載の発明は、前記装飾板を略アーチ状に形成し、及び／又は前記装飾板に網目状の穴を穿ったことを特徴とする。【００１０】  請求項３に記載の発明は、前記接続板の構成について、前記ヒンジ部から後方に引き出し、他方の留め具を一方の留め具に嵌合せる際に、前記他方の留め具の一対の係止部の先端により前記接続板の端部を挟持させることを特徴とする。
【発明の効果】
【００１１】  本発明によれば、上記のように構成したので以下のような効果を奏する。
第１め具及び第２留め具を互いに、水平軸に対して９０度回転させて嵌合させ、相対する互いの係合突起と該係合突起間に形成される凹部とを噛み合わせて前記第１留め具と第２留め具とを結合するため、確実に固定でき、第１留め具及び第２留め具の端部をばね力に抗して開放させない限り、第１留め具と第２留め具が離脱することがない。【００１２】  装飾板は、略アーチ状に形成され、及び／又は前記装飾板に網目状の穴を穿ったことを特徴としているので、斬新でデザイン性に優れるとともに、網目状に穴を穿っているので、留め具としての重量が軽減され、軽量化とコストの低減を実現することが可能となる。
なお、本発明の実施例では装飾板の表面をアーチ状に湾曲させたが、平面状でも良く、その模様は網目状である必要はなく、種々のデザインが可能である。【００１３】  また、前記接続板の構成について、前記ヒンジ部から後方に引き出し、他方の留め具を一方の留め具に嵌合せる際に、前記他方の留め具の一対の係止部の先端により前記接続板の端部を挟持させることを特徴とする本実施例では、留め具同士の水平軸に対する相対的な回転が阻止され、相互の係合突起と凹部との噛み合いと相俟って留め具同士の結合が確実となる。
【図面の簡単な説明】
【００１４】
【図１】本発明の装身具の長さ調整機能付き留め具の一実施例を示す斜視図である。
【図２】図１におけるＡ−Ａ線に沿う断面図である。
【図３】上記留め具の正面図である。
【図４】上記留め具の背面図である。
【図５】上記留め具のヒンジ部に収納されるばね部材と接続板の斜視図である。
【図６】本発明の留め具の開いた状態を示す斜視図である。
【図７】本発明の留め具における第１留め具と第２留め具の連結前の状態を示す斜視図である。
【図８】上記同様に連結後の状態を示す斜視図である。
【図９】本発明の留め具を使用したネックレスを、いわゆるＯ型にして着用する場合の斜視図である。
【図１０】本発明の留め具を使用したネックレスを、いわゆるＹ型にして着用する場合の斜視図である。
【図１１】本発明の留め具を使用したネックレスを２本用意し、相手方のネックレス端部に設けた留め具同士を連結して長尺の装身具とした状態の斜視図である。
【図１２】従来の留め具を使用した真珠のネックレスの着用例を示し、同図（Ａ）は、いわゆるＯ型として着用する場合、同図（Ｂ）はいわゆるＹ型として着用する場合の状態を示している。
【実施例】
【００１５】  以下に、本発明の好適な実施例を、図を参照して説明する。
本発明の装身具の長さ調整機能付き留め具１００は、図７及び図８に示すように、同一構成の第１留め具１０１と第２留め具１０２から成り、水平軸に対して互いに９０度回転させて両者を結合する。【００１６】  上記第１留め具１０１及び第２留め具１０２は同一構成であるため、
以下、第１留め具１０１の構成について詳細に説明する。
第１留め具１０１は、図１に示すように、一対の装飾板１０，１１を有する。この装飾板１０，１１は、例えば外側にアーチ状に湾曲して形成され、その枠内には網目状の模様になるように穴１２が穿ってある。この穴１２の位置、大きさによって当該装飾板１０，１１に形成される模様が異なってくる。【００１７】  例えば、真珠ネックレスの連珠自体はその大きさ、配置は変化させ得るが、連珠を構成する１個の真珠は、すべて球形をしているため、装身具としての変化性を出し難い。このため、真珠ネックレスにおける端部の留め具が全体の変化性を持たせるための重要なデザイン要素となっている。【００１８】  したがって、装飾板１０，１１を如何に趣向のあるものにデザインするかが真珠ネックレスの市場性を決定するポイントともなっている。【００１９】  装飾板１０，１１の一方（図１及び図２では右側後端）には、図５のコイルばね１３のばね力によって付勢されるヒンジ部１４が設けられている。
上記ヒンジ部１４は、装飾板１０，１１の端部内側対向面に突出する支持部１５ａ，１５ｂを組み合わせ、軸１６により軸支してあり、該軸１６を支点として装飾板１０，１１が搖動できる構成となっている。【００２０】  この実施例では、上記支持部１５ａ，１５ｂの間には接続板１７が介在し、軸１６に回動可能に軸支されている。この接続板１７の端部には透孔１８が設けられ、この透孔１８に、装身具、例えば真珠ネックレスの一端が連結できるようになっている。【００２１】  前記一対の装飾板１０，１１の端部内側対向面（図１及び図２の左側先端部）には、一対の突出部材１９ａ，１９ｂから成る係止部２０が設けられている。
一方、装飾板１０，１１の後端部（図１及び図２の右側後端部）の外側には互いに外方に盛り上がる摘み部２１ａ，２１ｂが設けられており、この摘み部２１ａ，２１ｂを内方に押圧することで、装飾板１０，１１の後端が窄められ、逆に、装飾坂１０，１１の先端部が軸１６を中心に回動し、互いに当接する突出部材１９ａ，１９ｂが離間し、図２に示すような状態となる。【００２２】  前記係止部２０における突出部材１９ａ，１９ｂは、装飾板１１，１２の端部内側対向面から内方に突出し、基部から二又に分かれた略馬蹄形状を成し、その先端部で突出部材１９ａ，１９ｂが嵌合する相補形状となっており、長孔２０が形成される。この長孔２２は、図８に示すように、一方の接続板１７を他方の係止部２０の突出部材１９ａ，１９ｂで挟み付ける構造となっている。【００２３】  なお、上記の実施例では接続板１７を係止部２０の突出部材１９ａ，１９ｂで挟み付ける構造としたが、必ずしもこの構造に限定されることなく、前記接続板１７を挟み付けなくても良い。
要は、第１留め具１０１と第２留め具１０２を水平軸に対して９０度回転して連結した場合に、連結の安定性と確実性が確保できるような構造であれば良い。【００２４】  次に、前記一対の装飾板１０，１１の内側対向面に一定の間隔を隔てて設けた複数の係合突起２３について説明する。この係合突起２３は、装飾板１０，１１の長手方向の内側両端部に設けられ、一方の留め具１００を他方の留め具１０１に、水平軸に対して９０度ずらして結合した場合に、長手方向に一定の間隔を隔てて並ぶ係合突起２３，  ２３に一方の係合突起２３，２３が嵌まり込み、互いに位置規制されるため、留め具１０１，１０２に互いに離反する方向に引張力を加えても離脱することがない。【００２５】  さらに、上記構成の装身具の長さ調整機能付き留め具１００の使用方法について説明する。
先ず、真珠ネックレスをいわゆるＯ型に着用する場合は、図９に示すように、真珠ネックレス２４の両端に設けた第１留め具１０１と第２留め具１０２とを水平軸に対して互いに９０度回転させて結合させる。【００２６】  すなわち、一方の装飾板１０の摘み部２１ａと他方の装飾板１１の摘み部２１ｂを親指と人さ指で摘まんで、第１留め具１０１の先端部をコイルばね１３のばね力に抗して開口させる。同様の操作により第２留め具１０２の先端部を開口させ、両者の先端部同士を突き合わせ、互いの内部に挿入した段階で摘まみ力を開放すれば、第１留め具１０１と第２留め具１０２が互いに係合突起２３，２３に位置規制され、正確かつ確実に結合がなされる。【００２７】  次に、図１０のように真珠ネックレスをいわゆるＹ型に着用する場合は、第１留め具１０１と第２留め具１０２とを結合せず、例えば一方の第１留め具１０１を真珠ネックレス２４の適当な長さのところでクリップし、他方の端部の第２留め具１０２は吊下げた状態としておく。このようにすることにより、第１留め具１０１及び第２留め具１０２が趣向に富むアクセサリーとなる。
【符号の説明】
【００２８】１              ネックレス
２ａ，２ｂ      留め具
３              連珠
１００          装身具の長さ調整機能付き留め具
１０１          第１留め具
１０２          第２留め具
１０            装飾板
１１            装飾板
１２            穴
１３            コイルばね
１４            ヒンジ部
１５ａ，１５ｂ  支持部材
１６            軸
１７            接続板
１８            透孔
１９ａ，１９ｂ  突出部材
２０            係止部
２１ａ，２１ｂ  摘み部
２２            長孔
２３            係合突起
２４            真珠ネックレス
【図１】
2019107433.tif 000003
【図２】
2019107433.tif 000004
【図３】
2019107433.tif 000005
【図４】
2019107433.tif 000006
【図５】
2019107433.tif 000007
【図６】
2019107433.tif 000008
【図７】
2019107433.tif 000009
【図８】
2019107433.tif 000010
【図９】
2019107433.tif 000011
【図１０】
2019107433.tif 000012
【図１１】
2019107433.tif 000013
【図１２】
2019107433.tif 000014